(57)【要約】    【課題】  荘厳な雰囲気を濃厚に醸し出し易くする。札板の前面に埃が付着し難くする。札板に戒名を書き易くする。    【解決手段】  戒名を書く札板２を台座１の上に取外可能に立てた板位牌である。札板は、上に屋根１１を、前に扉１６を設けた。屋根は下面に嵌合部を、札板は上端に嵌合部を設け、札板上端の嵌合部に屋根下面の嵌合部を嵌合して、屋根は、札板の上端に取外可能に取り付けた。扉は上端と下端にそれぞれほぞを設け、屋根は下面にほぞ穴を、台座は上面にほぞ穴を設け、扉下端のほぞを台座上面のほぞ穴に抜出可能に嵌合すると共に、扉上端のほぞを屋根下面のほぞ穴に抜出可能に嵌合して、扉は、台座と屋根の間に札板の前面を開閉可能に取り付けた。札板を取り外すときには、屋根を札板上端の嵌合部と扉上端のほぞから抜き取り、扉を台座上面のほぞ穴から抜き取り、札板を台座から取り外す。【選択図】  図７
0003119785.tif 000002
【実用新案登録請求の範囲】
【請求項１】
戒名を書く札板を台座の上に取外可能に立てた板位牌であって、
札板は、上に屋根を、前に扉を設け、
屋根は下面に嵌合部を、札板は上端に嵌合部を設け、札板上端の嵌合部に屋根下面の嵌合部を嵌合して、屋根は、札板の上端に取外可能に取り付け、
扉は上端と下端にそれぞれほぞを設け、屋根は下面にほぞ穴を、台座は上面にほぞ穴を設け、扉下端のほぞを台座上面のほぞ穴に抜出可能に嵌合すると共に、扉上端のほぞを屋根下面のほぞ穴に抜出可能に嵌合して、扉は、台座と屋根の間に札板の前面を開閉可能に取り付け、
札板を取り外すときには、屋根を札板上端の嵌合部と扉上端のほぞから抜き取り、扉を台座上面のほぞ穴から抜き取り、札板を台座から取り外す構成にしたことを特徴とする板位牌。
【請求項２】
扉は、両側に開く観音開きの扉であることを特徴とする請求項１に記載の板位牌。
【考案の詳細な説明】
【技術分野】
【０００１】
本考案は、戒名を書く札板を台座の上に立てた板位牌に関する。
【背景技術】
【０００２】
板位牌は、札板を台座の上に立てている。札板は、縦長長方形の板状であり、前面に戒名を書く。台座は、上面に嵌込穴を開口している。札板は、下端面に嵌込軸を突出している。札板に設けた嵌込軸は、台座に設けた嵌込穴に抜出可能に嵌め込んでいる。
【０００３】
札板に戒名を書くときには、札板を台座から取り外す。台座から分離した札板の前面に、戒名を彫刻したり、墨や顔料で毛筆書きしたりする。その後、戒名を書いた札板は、再び、台座に取り付けて台座の上に立てる。
【０００４】
【特許文献１】登録実用新案第３０７３６９７号公報
【考案の開示】
【考案が解決しようとする課題】
【０００５】
［背景技術の課題］
板位牌は、台座の上に札板が立っているだけである。このような形態で、長い期間、置きっ放しにされる。
【０００６】
戒名を書いた札板は、下に台座があるが、左右と上には何もない。宗教的な荘厳な雰囲気を濃厚に醸し出し難い。
【０００７】
また、札板の前面は、戒名を彫刻すると、彫刻部分、戒名部分と非彫刻部分、非戒名部分の間に段差が形成される。戒名を墨や顔料で書くと、墨や顔料の付着部分、戒名部分と非付着部分、非戒名部分の間に段差が形成される。その段差には、埃が溜まり易い。札板の前面に埃が付着していると、荘厳な雰囲気が害される。
【０００８】
［課題を解決するための着想］
板位牌は、札板の前に扉を設け、札板の上に屋根を設けることにした。札板は、台座の外に扉と屋根があると、荘厳な雰囲気を濃厚に醸し出し易くなる。また、札板は、前と上を扉と屋根で覆うと、前面に埃が付着し難くなる。
【０００９】
札板は、戒名を書く際、扉や屋根が付属していると、彫刻や毛筆書きが行い難くなる。そこで、扉と屋根は、取外可能にすることにした。
【００１０】
具体的には、屋根は、下面に嵌合部を設ける。札板は、上端に嵌合部を設ける。札板の上に屋根を取り付けるに当り、札板上端の嵌合部に屋根下面の嵌合部を抜出可能に嵌合する。
【００１１】
扉は、上端と下端にそれぞれほぞを設ける。屋根は、下面にほぞ穴を設ける。台座は、上面にほぞ穴を設ける。札板の前に扉を取り付けるに当り、扉下端のほぞを台座上面のほぞ穴に抜出可能に嵌合すると共に、扉上端のほぞを屋根下面のほぞ穴に抜出可能に嵌合する。扉は、台座と屋根の間に配置し、札板の前面を開閉可能にする。
【００１２】
札板は、戒名を書くため、取り外すときには、屋根を札板上端の嵌合部と扉上端のほぞから抜き取り、扉を台座上面のほぞ穴から抜き取る。屋根と扉が付属していない札板は、台座から取り外す。
【課題を解決するための手段】
【００１３】
１）戒名を書く札板を台座の上に取外可能に立てた板位牌であって、
札板は、上に屋根を、前に扉を設け、
屋根は下面に嵌合部を、札板は上端に嵌合部を設け、札板上端の嵌合部に屋根下面の嵌合部を嵌合して、屋根は、札板の上端に取外可能に取り付け、
扉は上端と下端にそれぞれほぞを設け、屋根は下面にほぞ穴を、台座は上面にほぞ穴を設け、扉下端のほぞを台座上面のほぞ穴に抜出可能に嵌合すると共に、扉上端のほぞを屋根下面のほぞ穴に抜出可能に嵌合して、扉は、台座と屋根の間に札板の前面を開閉可能に取り付け、
札板を取り外すときには、屋根を札板上端の嵌合部と扉上端のほぞから抜き取り、扉を台座上面のほぞ穴から抜き取り、札板を台座から取り外す構成にしたことを特徴とする。
【００１４】
２）上記の板位牌において、
扉は、両側に開く観音開きの扉であることを特徴とする。
【考案の効果】
【００１５】
板位牌は、札板の上に屋根を、札板の前に扉を設けている。荘厳な雰囲気を濃厚に醸し出し易い。また、札板は、前と上を扉と屋根で覆われる。札板の前面は、埃が付着し難い。
【００１６】
更に、札板は、戒名を書く際、扉と屋根及び台座から取り外される。戒名が書き易い。
【考案を実施するための最良の形態】
【００１７】
実施形態の板位牌は、図１〜図３に扉の閉鎖状態を示し、図４に扉の開放状態を示す。図５には屋根の取り外し状態を示し、図６に屋根と扉の取り外し状態を示す。図７には、札板を取り外した状態を示す。
【００１８】
板位牌は、台座１の上に札板２を立てている。札板２は、前面に戒名を書く。台座１は、上面に嵌込穴３を開口している。札板２は、下端面に嵌込軸４を突出している。札板２に設けた嵌込軸４は、台座１に設けた嵌込穴３に抜出可能に嵌め込んでいる。札板２は、台座１の上に取外可能に設けている。
【００１９】
札板２は、上に屋根１１を設けている。屋根１１は、下面に凹状の嵌合部１２を開口している。札板２は、上端面に凸状の嵌合部１３を突出している。屋根１１に設けた凹状の嵌合部１２は、札板２に設けた凸状の嵌合部１３に抜出可能に嵌合している。屋根１１は、札板２の上端に取外可能に取り付けている。
【００２０】
また、札板２は、前に扉１６を設けている。扉１６は、札板２の前面を開閉する観音開きの扉である。両側の扉１６は、それぞれ、外側部の上端と下端にほぞ１７、１８を突出している。屋根１１は、下面の凹状嵌合部１２前側の両側に、それぞれ、ほぞ穴１９を開口している。台座１は、上面の嵌込穴３前側の両側に、それぞれ、ほぞ穴２０を開口している。各扉１６は、それぞれ、下端のほぞ１８を台座１上面のほぞ穴２０に嵌合すると共に、上端のほぞ１７を屋根１１下面のほぞ穴１９に嵌合している。両側の扉１６は、台座１と屋根１１の間に、札板２の前面を開閉可能に取り付けている。両側の扉１６を閉鎖状態に保持する留め具２１を設けている。
【００２１】
札板２は、戒名を書くため、取り外すときには、先ず、図５に示すように、屋根１１を札板上端の凸状嵌合部１３と扉上端のほぞ１７から上方に抜き取る。次に、図６に示すように、両側の扉１６を、それぞれ、台座上面のほぞ穴２０から上方に抜き取る。最後に、図７に示すように、札板２を台座上面の嵌込穴３から上方に抜き取る。屋根１１と扉１６が付属していない札板２が台座１から取り外される。この分離した札板２の前面に、戒名を彫刻や毛筆書きで書く。戒名が書き易い。
【００２２】
戒名を書いた札板２を取り付けるときには、先ず、図６に示すように、札板２を台座１に取り付ける。次に、図５に示すように、両側の扉１６をそれぞれ台座１に取り付ける。最後に、図１に示すように、屋根１１を札板２と両側の扉１６に取り付ける。
【００２３】
板位牌は、使用しないときには、図１〜図３に示すように、両側の扉１６を閉鎖し、留め具２１を掛けておく。札板２は、前と上が扉１６と屋根１１で覆われる。札板２の前面は、埃が付着し難い。
【００２４】
また、板位牌は、使用するときには、図４に示すように、留め具２１を外し、扉１６を観音開きする。すると、両側の扉１６は、札板２の左側と右側に移動し、札板２の前面が開放し、札板２前面の戒名が見える。その戒名の左右と上及び下には、扉１６と屋根１１及び台座１が存在する。札板２の戒名を取り囲む左右の扉１６と屋根１１及び台座１で、荘厳な雰囲気を濃厚に醸し出し易い。
【００２５】
［変形例］
１）上記の実施形態において、札板２と屋根１１の嵌合機構は、札板２の嵌合部１３を凸状に、屋根１１の嵌合部１２を凹状にしているが、凹凸関係を逆にし、札板２の嵌合部を凹状に、屋根１１の嵌合部を凸状にする。
２）上記の実施形態において、扉１６は、２枚で観音開き、両側開きであるが、１枚で片側開きにする。
３）上記の実施形態において、台座１と札板２の嵌込機構は、台座１に嵌込穴３を、札板２に嵌込軸４を設けているが、穴と軸を逆にし、台座１に嵌込軸を、札板２に嵌込穴を設ける。
【図面の簡単な説明】
【００２６】
【図１】本考案の実施形態における板位牌の正面図。
【図２】図１のＡ‐Ａ線断面拡大図。
【図３】同板位牌の側面図。
【図４】同板位牌の扉の開放状態の正面図。
【図５】同板位牌の屋根の取り外し状態の正面図。
【図６】同板位牌の屋根と扉の取り外し状態の正面図。
【図７】同板位牌の札板を取り外した状態の正面図。
【符号の説明】
【００２７】
１  台座
２  札板、戒名を記載する札板
３  台座の嵌込穴
４  札板の嵌込軸
１１  屋根
１２  屋根の凹状の嵌合部
１３  札板の凸状の嵌合部
１６  扉、観音開きの扉
１７  扉上端のほぞ
１８  扉下端のほぞ
１９  屋根のほぞ穴
２０  台座のほぞ穴
２１  扉の留め具
【図１】
0003119785.tif 000003
【図２】
0003119785.tif 000004
【図３】
0003119785.tif 000005
【図４】
0003119785.tif 000006
【図５】
0003119785.tif 000007
【図６】
0003119785.tif 000008
【図７】
0003119785.tif 000009